(57)【要約】      （修正有）【課題】スプレー容器の倒立時にも液体を噴出でき、構造上極めて簡単であり、組み立てやすく、製造コストを低減できる、スプレー容器の導流装置を提供する。【解決手段】ボトル本体２１と、ヘッド２２と、パイプ２３とを備え、前記ヘッドは、導流管２２２を備え、前記導流管と前記パイプとの間に組み合わせ接続される、スプレー容器２の導流装置１であって、前記導流装置は、接続管３と、逆止弁４と、逆止ボール５とを含み、前記接続管は、前記導流管と組み合わせ接続され、複数の逆流通路３１１及び順流通路３３１が接続管の内縁に形成され、前記逆止弁は、前記接続管と前記導流管との間に組み合わせて設けられ、前記逆止ボールは、前記接続管内に組み合わせて設けられるとともに、前記パイプのポート上に位置し、前記スプレー容器が倒立状態を呈するとき、液体が前記複数の逆流通路から接続管、逆止弁、導流管に入り、最後に噴出される。【選択図】図２
0003234376.tif 000002
【実用新案登録請求の範囲】
【請求項１】
スプレー容器が、液体を収容可能なボトル本体と、前記ボトル本体上に組み合わせて設けられたヘッドと、パイプとを備え、前記ヘッドは、押圧部と、前記押圧部から下向きに延在して前記ボトル本体内に入る導流管とを備え、
導流装置が、前記導流管と前記パイプとの間に組み合わせ接続され、前記ボトル本体内の液体を前記ヘッドまで導流して噴出する、スプレー容器の導流装置であって、
前記導流装置は、
前記導流管と前記パイプとを接続し、上部配管部と、中間配管部と、下部配管部とを備え、前記上部配管部は、前記導流管の上端部位と互いに組み合わせ接続されるとともに、複数の逆流通路がその内縁に形成されて、前記ボトル本体内の液体を前記中間配管部内に流し入れることができるようになっており、前記下部配管部は、前記パイプに接続され、複数の順流通路がその内縁に形成されている接続管と、
前記中間配管部内に組み合わせて設けられるとともに、前記複数の逆流通路を経由して中間配管部に入る液体を、一方向に通過させて前記導流管に入れることができる逆止弁と、
前記下部配管部内に組み合わせて設けられるとともに、前記パイプのポート上に位置し、液体が、リフローして前記パイプに入るか、又は前記中間配管部から下部配管部に入るのを適時防止する逆止ボールとを備え、
前記スプレー容器が正立している状態において、前記押圧部を押圧すると、前記ボトル本体内の液体が前記パイプを経由して前記逆止ボールを押し開け、前記複数の順流通路から前記中間配管部に入り、さらに前記導流管を経由して前記ボトル本体の外部に導出され、前記スプレー容器が倒立状態を呈するとき、前記ボトル本体内の液体が前記複数の逆流通路から前記中間配管部内に入り、前記逆止弁を通過してから、さらに前記導流管を通って、最後に前記ヘッドから噴出され、このとき、前記下部配管部のパイプから離れた一端で前記逆止ボールをブロックすることで、液体が下部配管部に入ることを防止する、
スプレー容器の導流装置。
【請求項２】
前記導流管は、前記押圧部に接続された上部組み合わせ接続部と、前記上部組み合わせ接続部から下向きに延在して前記中間配管部に入るジョイント部と、前記ジョイント部から下向きに延在する下部組み合わせ接続部とを備え、
前記上部配管部は、前記上部組み合わせ接続部と互いに組み合わせ接続され、
前記下部組み合わせ接続部は、前記逆止弁と組み合わせ接続され、これにより前記逆止弁が前記中間配管部と下部組み合わせ接続部との間に位置するようにしたことを特徴とする請求項１に記載のスプレー容器の導流装置。
【請求項３】
前記逆止弁は、前記下部組み合わせ接続部上に外嵌されたリングと、前記リングから外向きに拡径して形成されたリングベーンとを備え、
前記リングベーンは、前記中間配管部に当接し、
前記複数の逆流通路を通過する液体によって、前記リングベーンを押し移動させて前記中間配管部から離すことにより、液体を通過させて前記導流管の下部組み合わせ接続部に入れることができることを特徴とする請求項２に記載のスプレー容器の導流装置。
【請求項４】
前記逆止弁は、前記中間配管部の内縁に組み合わせて設けられたリングと、前記リングから縮径延在するリングベーンとを備え、
前記リングベーンは、前記下部組み合わせ接続部に当接し、
前記複数の逆流通路を通過する液体によって、前記リングベーンを押し移動させて前記下部組み合わせ接続部の外縁から離すことにより、液体を通過させて前記導流管の下部組み合わせ接続部の内部に入れることができることを特徴とする請求項２に記載のスプレー容器の導流装置。
【考案の詳細な説明】
【技術分野】
【０００１】
本考案は、スプレー容器（噴霧容器）の導流装置に関し、特に、逆止弁を利用して液体が一方向に流動するように制御することにより、スプレー容器の倒立時にも液体を外向きに導流し噴出できる導流装置に関する。
【背景技術】
【０００２】
スプレー容器は、日常生活においてよく見られるアイテムであり、化粧水や蚊よけスプレーをスプレーする際等に応用されるが、どの角度でも、特に、スプレー容器の倒立時に液体を噴出しやすいように、スプレー容器内の導流経路には異なる設計が求められる。特許文献１の「スプレー容器の導流装置」、特許文献２の「改良型双方向逆止弁」及び特許文献３の「正／倒立抽出容器」を例に挙げると、これらはいずれも倒立してスプレーする逆流設計であるが、最初の２つの特許文献で開示されている技術内容は、部品構成の設計が比較的複雑であり、組み立てが比較的面倒で不便であるばかりでなく、製造コストも増加するため、従来技術には、構造が複雑で製造コストが比較的高いという欠点がある。
【先行技術文献】
【特許文献】
【０００３】
【特許文献１】台湾実用新案第Ｍ４７５２０８号公報
【特許文献２】台湾実用新案第Ｍ４５９０３１号公報
【特許文献３】国際公開第９９／２９５８６号パンフレット
【考案の概要】
【考案が解決しようとする課題】
【０００４】
このため、本考案は、構造が比較的簡単なスプレー容器の導流装置を提供することを目的とする。
【課題を解決するための手段】
【０００５】
本考案のスプレー容器の導流装置は、スプレー容器が、液体を収容可能なボトル本体と、前記ボトル本体上に組み合わせて設けられたヘッド（噴頭）と、パイプとを備え、
前記ヘッドは、押圧部と、前記押圧部から下向きに延在して前記ボトル本体内に入る導流管とを備え、
導流装置が、前記導流管と前記パイプとの間に組み合わせ接続され、前記ボトル本体内の液体を前記ヘッドまで導流して噴出する、スプレー容器の導流装置であって、
前記導流装置は、接続管と、逆止弁と、逆止ボールとを含み、
前記接続管は、前記導流管と前記パイプとを接続し、上部配管部と、中間配管部と、下部配管部とを備え、前記上部配管部は、前記導流管の上端部位と互いに組み合わせ接続されるとともに、複数の逆流通路がその内縁（内側の縁部）に形成されて、前記ボトル本体内の液体を前記中間配管部内に流し入れることができるようになっており、前記下部配管部は、前記パイプに接続され、複数の順流通路がその内縁に形成され、
前記逆止弁は、前記中間配管部内に組み合わせて設けられるとともに、前記複数の逆流通路を経由して中間配管部に入る液体を、一方向に通過させて前記導流管に入れることができるようにし、
前記逆止ボールは、前記下部配管部内に組み合わせて設けられるとともに、前記パイプのポート上に位置し、液体が、リフローして前記パイプに入るか、又は前記中間配管部から下部配管部に入るのを適時防止し、
前記スプレー容器が正立している状態において、前記押圧部を押圧すると、前記ボトル本体内の液体が前記パイプを経由して前記逆止ボールを押し開け、前記複数の順流通路から前記中間配管部に入り、さらに前記導流管を経由して前記ボトル本体の外部に導出され、前記スプレー容器が倒立状態を呈するとき、前記ボトル本体内の液体が前記複数の逆流通路から前記中間配管部内に入り、前記逆止弁を通過してから、さらに前記導流管を通って、最後に前記ヘッドから噴出され、このとき、前記下部配管部のパイプから離れた一端で前記逆止ボールをブロックすることで、液体が下部配管部に入ることを防止する。
【考案の効果】
【０００６】
前記導流装置は、主に、前記接続管、逆止弁及び逆止ボールが組み合わされてなり、したがって、構造上極めて簡単であり、組み立てやすいだけでなく、全体的な製造コストをさらに低減できる。
【図面の簡単な説明】
【０００７】
【図１】本考案の第１の好適な実施例のスプレー容器及び導流装置の立体分解図である。
【図２】本考案の第１の好適な実施例のスプレー容器及び導流装置の組立断面図である。
【図３】本考案の第１の好適な実施例の導流装置の部分立体断面図である。
【図４】本考案の第１の好適な実施例のスプレー容器及び導流装置を倒立させた部分組み合わせ断面図である。
【図５】図４の液体の流動を示す模式図である。
【図６】図５の部分拡大模式図である。
【図７】本考案の第２の好適な実施例の導流装置の導流管及び逆止弁の部分立体断面図である。
【図８】本考案の第２の好適な実施例のスプレー容器及び導流装置を倒立させた部分組み合わせ断面図である。
【図９】本考案の第３の好適な実施例の導流装置の導流管及び逆止弁の部分立体断面図である。
【図１０】本考案の第３の好適な実施例のスプレー容器及び導流装置を倒立させた部分組み合わせ断面図である。
【考案を実施するための形態】
【０００８】
（実施の形態１）
図１〜６を参照すると、本考案の第１の好適な実施例の導流装置１は、スプレー容器２と互いに協働して使用され、前記スプレー容器２は、液体を収容可能なボトル本体２１と、前記ボトル本体２１上に組み合わせて設けられたヘッド２２と、パイプ２３とを備え、前記ヘッド２２は、押圧部２２１と、前記押圧部２２１から下向きに延在して前記ボトル本体２１内に入る導流管２２２とを備える。前記押圧部２２１は、一般的な従来構成であり、本考案が特徴とするところではないため、ここではその細部構造を説明しない。前記導流管２２２は、前記押圧部２２１に接続された上部組み合わせ接続部２２３と、前記上部組み合わせ接続部２２３から下向きに延在するジョイント部２２４と、前記ジョイント部２２４からさらに下向きに延在する下部組み合わせ接続部２２５とを備える。
【０００９】
前記導流装置１は、前記導流管２２２と前記パイプ２３との間に設置され、ボトル本体２１内の液体をヘッド２２まで導流して噴出する。前記導流装置１は、接続管３と、逆止弁４と、逆止ボール５とを含む。前記接続管３は、上部配管部３１と、中間配管部３２と、下部配管部３３とを備え、前記上部配管部３１は、前記導流管２２２の上部組み合わせ接続部２２３と互いに組み合わせ接続されるとともに、前記押圧部２２１に近接し、複数の逆流通路３１１がその内縁に形成されて、ボトル本体２１内の液体を前記中間配管部３２内に流し入れることができるようになっており、前記中間配管部３２は、その中に前記ジョイント部２２４及び前記下部組み合わせ接続部２２５を通すことができるようになっており、前記下部配管部３３は、前記パイプ２３に接続され、複数の順流通路３３１がその内縁に形成されている。
【００１０】
前記逆止弁４は、前記中間配管部３２内に組み合わせて設けられるとともに、前記下部組み合わせ接続部２２５上に外嵌されたリング４１（套環４１）と、前記リング４１から外向きに拡径して形成されたリングベーン４２（環翼４２）とを備える。前記リングベーン４２は、前記中間配管部３２に当接し、前記リング４１及び前記リングベーン４２は、前記複数の順流通路３３１を流れる液体が通過するのを遮断できるが、前記複数の逆流通路３１１を経由して中間配管部３２に入る液体を一方向に通過させることができ、より具体的には、前記複数の逆流通路３１１を通過する液体によって、前記リングベーン４２を押し移動させて前記中間配管部３２から離すことにより、液体を通過させて前記導流管２２２の下部組み合わせ接続部２２５に入れることができる。
【００１１】
前記逆止ボール５は、前記下部配管部３３内に組み合わせて設けられるとともに、前記パイプ２３のポート上に位置し、液体が、リフローして前記パイプ２３に入るか、又は前記中間配管部３２から下部配管部３３に入るのを適時防止する。
【００１２】
正常な使用状態において、即ち、スプレー容器２が正立している態様において、前記押圧部２２１を押圧すると、ボトル本体２１内の液体がパイプ２３を経由して前記逆止ボール５を押し開け、前記複数の順流通路３３１から前記中間配管部３２に入る。これは、スプレー容器２内の一般的な液体の導流経路であるため、液体が逆止ボール５を押し開けた状態は図示しない。このとき、前記中間配管部３２内の液体は、前記逆止弁４に遮断されるが、図２に示す中間配管部３２の下方部位にのみ位置するため、前記導流管２２２の下部組み合わせ接続部２２５、ジョイント部２２４及び上部組み合わせ接続部２２３をさらに経由してボトル本体２１の外部に導出される。前記スプレー容器２を図４に示すような倒立状態にして前記押圧部２２１を押圧すると、前記ボトル本体２１内の液体が前記複数の逆流通路３１１から前記中間配管部３２内に入る。さらに、図５、６に示すように、液体は、前記逆止弁４のリングベーン４２を押し移動させることにより、前記リングベーン４２と中間配管部３２との間に隙間を作り、前記逆止弁４を通過した後、前記導流管２２２の下部組み合わせ接続部２２５から導流され、最後に前記ヘッド２２から噴出される。これと同時に、前記下部配管部３３のパイプ２３から離れた一端で前記逆止ボール５をブロックすることで、中間配管部３２内の少量の液体及び空気が下部配管部３３に入ることを防止する。
【００１３】
本考案のスプレー容器２の導流装置１は、主に、前記接続管３、逆止弁４及び逆止ボール５が組み合わされてなり、したがって、構造上極めて簡単であり、組み立てやすいだけでなく、全体的な製造コストをさらに低減できる。特に、前記接続管３の上部配管部３１が前記押圧部２２１に近接する設計であるため、スプレー容器２が図５に示す倒立状態にあるとき、ボトル本体２１内に少量の液体しかなくとも簡単に吸い上げてヘッド２２から噴出することができ、倒立して使用する時の利便性が比較的優れている。
【００１４】
（実施の形態２）
なお、前記逆止弁４の形態は、単一の設計に限定されず、例えば、前記逆止弁４は、図７、８に示す第２の実施例の態様のように、同様にリング４１と、前記リング４１から拡径して形成されたリングベーン４２とを備えてもよく、前記スプレー容器２は、図８に示すように倒立状態を呈し、液体は、前記複数の逆流通路３１１から前記中間配管部３２内に入り、前記リングベーン４２を押し移動させることにより、前記逆止弁４を通過して下部組み合わせ接続部２２５内に入り、最後にヘッド２２から噴出される。
【００１５】
（実施の形態３）
図９、１０を参照すると、本考案の第３の実施例は、以下の点において、前の２つの実施例と異なる。前記逆止弁４は、前記中間配管部３２の内縁に組み合わせて設けられたリング４１と、前記リング４１から縮径延在するリングベーン４２とを備える。前記リングベーン４２は、前記下部組み合わせ接続部２２５に当接し、前記複数の逆流通路３１１を通過する液体によって、前記リングベーン４２を押し移動させて前記下部組み合わせ接続部２２５の外縁から離すことにより、液体を通過させて前記導流管２２２の下部組み合わせ接続部２２５内部に入れ、最後に前記ヘッド２２から噴出することができる。
【符号の説明】
【００１６】
１  導流装置
２  スプレー容器
２１  ボトル本体
２２  ヘッド
２２１  押圧部
２２２  導流管
２２３  上部組み合わせ接続部
２２４  ジョイント部
２２５  下部組み合わせ接続部
２３  パイプ
３  接続管
３１  上部配管部
３１１  逆流通路
３２  中間配管部
３３  下部配管部
３３１  順流通路
４  逆止弁
４１  リング
４２  リングベーン
５  逆止ボール
【図１】
0003234376.tif 000003
【図２】
0003234376.tif 000004
【図３】
0003234376.tif 000005
【図４】
0003234376.tif 000006
【図５】
0003234376.tif 000007
【図６】
0003234376.tif 000008
【図７】
0003234376.tif 000009
【図８】
0003234376.tif 000010
【図９】
0003234376.tif 000011
【図１０】
0003234376.tif 000012